(57)【特許請求の範囲】
【請求項１】
建物の外壁面と目地部を介して設けられたよう壁等の床躯体の目地部側の上面に該目地部に開口するように形成された目地プレート支持凹部と、前記建物の一側外壁面にスライド移動可能に取付けられた、角部の目地部を覆う先端部が前記目地プレート支持凹部のほぼ中央部に位置する一側可動目地カバーと、前記建物の一側外壁面と隣り合う他側外壁面にスライド移動可能に取付けられた角部の目地部を覆う前記一側可動目地カバーの位置する部位に段差を設けて干渉するのを阻止する先端部が前記目地プレート支持凹部のほぼ中央部に位置する他側可動目地カバーと、前記一側可動目地カバーの先端部が支持される、前記目地プレート支持凹部の一側部を該一側可動目地カバーのスライド移動を可能に覆う一側固定目地カバーと、前記他側可動目地カバーの先端部が支持される前記目地プレート支持凹部の他側部を、該他側可動目地カバーのスライド移動を可能に覆う他側固定目地カバーとからなることを特徴とする角部用床目地装置。
【請求項２】
建物の外壁面と目地部を介して設けられたよう壁等の床躯体の目地部側の上面に該目地部に開口するように形成された目地プレート支持凹部と、前記建物の一側外壁面にスライド移動可能に取付けられた、角部の目地部を覆う先端部が前記目地プレート支持凹部のほぼ中央部に位置する一側可動目地カバーと、前記建物の一側外壁面と隣り合う他側外壁面に前記一側可動目地カバーとの間に隙間が生じないように固定的に取付けられた先端部が前記目地プレート支持凹部のほぼ中央部に位置する他側固定目地カバーと、前記一側可動目地カバーの先端部が支持される、前記目地プレート支持凹部の一側部を該一側可動目地カバーのスライド移動を可能に覆う一側固定目地カバーと、前記他側固定目地カバーの先端部が支持される前記目地プレート支持凹部の他側部を、該他側固定目地カバーによってスライド移動されるように覆う他側可動目地カバーとからなることを特徴とする角部用床目地装置。
【請求項３】
建物の外壁面と目地部を介して設けられたよう壁等の床躯体の目地部側の上面に該目地部に開口するように形成された目地プレート支持凹部と、前記建物の一側外壁面にスライド移動可能に取付けられた、角部の目地部を覆う先端部が前記目地プレート支持凹部のほぼ中央部に位置するくし歯状の一側可動目地カバーと、前記建物の一側外壁面と隣り合う他側外壁面にスライド移動可能に取付けられた角部の目地部を覆う前記一側可動目地カバーの位置する部位に段差を設けて干渉するのを阻止する先端部が前記目地プレート支持凹部のほぼ中央部に位置するくし歯状の他側可動目地カバーと、前記一側可動目地カバーの先端部が支持される、前記目地プレート支持凹部の一側部に固定されたくし歯状の一側固定目地カバーと、前記他側可動目地カバーの先端部が支持される前記目地プレート支持凹部の他側部に固定されたくし歯状の他側固定目地カバーとからなることを特徴とする角部用床目地装置。
【請求項４】
建物の外壁面と一体形成された一方の床躯体と目地部を介して設けられたよう壁等の他方の床躯体の目地部側の上面に、該目地部に開口するように形成された目地プレート支持凹部と、前記一方の床躯体の一側の目地部側端部にスライド移動可能に取付けられた、角部の目地部を覆う先端部が前記目地プレート支持凹部のほぼ中央部に位置する一側可動目地カバーと、前記一方の床躯体の一側の目地部側端部と隣り合う他側の目地部側端部にスライド移動可能に取付けられた角部の目地部を覆う前記一側可動目地カバーの位置する部位に段差を設けて干渉するのを阻止する先端部が前記目地プレート支持凹部のほぼ中央部に位置する他側可動目地カバーと、前記一側可動目地カバーの先端部が支持される前記目地プレート支持凹部の一側部を、該一側可動目地カバーのスライド移動を可能に覆う一側固定目地カバーと、前記他側可動目地カバーの段差部を除く先端部が支持される、前記目地プレート支持凹部の他側部を該他側可動目地カバーのスライド移動を可能に覆う他側固定目地カバーとからなることを特徴とする角部用床目地装置。
【請求項５】
建物の外壁面と一体形成された一方の床躯体と目地部を介して設けられたよう壁等の他方の床躯体の目地部側の上面に、該目地部に開口するように形成された目地プレート支持凹部と、前記一方の床躯体の一側の目地部側端部にスライド移動可能に取付けられた、角部の目地部を覆う先端部が前記目地プレート支持凹部のほぼ中央部に位置するくし歯状の一側可動目地カバーと、前記一方の床躯体の一側の目地部側端部と隣り合う他側の目地部側端部にスライド移動可能に取付けられた角部の目地部を覆う、前記一側可動目地カバーの位置する部位に段差を設けて干渉するのを阻止する先端部が前記目地プレート支持凹部のほぼ中央部に位置するくし歯状の他側可動目地カバーと、前記一側可動目地カバーの先端部が支持される前記目地プレート支持凹部の一側部に固定されたくし歯状の一側固定目地カバーと、前記他側可動目地カバーの段差部を除く先端部が支持される、前記目地プレート支持凹部の他側部に固定されたくし歯状の他側固定目地カバーとからなることを特徴とする角部用床目地装置。
【発明の詳細な説明】
【０００１】
【発明の属する技術分野】
本発明は角部の床目地部を覆う角部用床目地装置に関する。
【０００２】
【従来の技術】
従来、建物の前後左右方向の揺れ動きを吸収する床用目地装置は、角部で干渉しないように隙間を形成し、該隙間を覆うように角部カバーを設置している。
【０００３】
【発明が解決しようとする課題】
従来の角部に角部カバーを設置するものにあっては見苦しくなり、該角部カバーがスムーズに前後左右方向にスライド移動ができず、損傷したり、揺れ動いた場合には元の位置に手作業で戻す等の作業が必要になる等の欠点があった。
【０００４】
本発明は以上のような従来の欠点に鑑み、前後左右方向の揺れ動きをスムーズに吸収することができるとともに、見苦しくなることなく、揺れ動きが停止すると自動的に元の状態に戻すことができる、構造が簡単で、容易に設置することができる角部用床目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は建物の外壁面と目地部を介して設けられたよう壁等の床躯体の目地部側の上面に該目地部に開口するように形成された目地プレート支持凹部と、前記建物の一側外壁面にスライド移動可能に取付けられた角部の目地部を覆う先端部が前記目地プレート支持凹部のほぼ中央部に位置する一側可動目地カバーと、前記建物の一側外壁面と隣り合う他側外壁面にスライド移動可能に取付けられた角部の目地部を覆う前記一側可動目地カバーの位置する部位に段差を設けて干渉するのを阻止する先端部が前記目地プレート支持凹部のほぼ中央部に位置する他側可動目地カバーと、前記一側可動目地カバーの先端部が支持される、前記目地プレート支持凹部の一側部を該一側可動目地カバーのスライド移動を可能に覆う一側固定目地カバーと、前記他側可動目地カバーの先端部が支持される前記目地プレート支持凹部の他側部を、該他側可動目地カバーのスライド移動を可能に覆う他側固定目地カバーとで角部用床目地装置を構成している。
【０００７】
【発明の実施の形態】
以下、図面に示す実施の形態により、本発明を詳細に説明する。
【０００８】
図１ないし図１２に示す本発明の第１の実施の形態において、１は建物２の外壁面２ａと目地部３を介して設けられたよう壁等の床躯体４との間の角部の目地部３を覆う本発明の角部用床目地装置で、この角部用床目地装置１は前記よう壁等の床躯体４の目地部３側の上面に、該目地部３に開口するように形成された目地プレート支持凹部５と、この目地プレート支持凹部５の底面および反目地部側の壁面を必要に応じて覆う支持板６と、前記建物２の一側外壁面２ａに固定されたガイドレール７に複数個のローラー８を介してスライド移動可能に取付けられた角部の目地部を覆う先端部が前記目地プレート支持凹部５のほぼ中央部に位置するくし歯状の一側可動目地カバー９と、前記建物２の一側外壁面２ａと隣り合う他側外壁面２ａに固定されたガイドレール１０に複数個のローラー１１を介してスライド移動可能に取付けられた角部の目地部を覆う前記一側可動目地カバー９の位置する部位に段差１２を設けて干渉するのを阻止するくし歯状の他側可動目地カバー１３と、前記一側可動目地カバー９の先端部が支持される前記目地プレート支持凹部５の一側部に固定されたくし歯状の一側固定目地カバー１４と、前記他側可動目地カバー１３の先端部が支持される前記目地プレート支持凹部５の他側部に固定されたくし歯状の他側固定目地カバー１５とで構成されている。
【０００９】
前記一側可動目地カバー９は、図５に示すようにアングル材を用いた支持バー１６と、この支持バー１６に後端部が溶接等によって所定間隔で固定された多数個のバー部材１７と、前記支持バー１６の底面に所定間隔で取付けられた複数個のローラー８とで構成されている。
【００１０】
前記他側可動目地カバー１３は図６に示すように、アングル材を用いて段差部１２を形成した支持バー１８と、この支持バー１８に後端部が溶接等によって所定間隔で固定された多数個のバー部材１９と、前記支持バー１８の段差部１２を除く底面に所定間隔で取付けられた複数個のローラー１１とで構成されている。
【００１１】
前記一側固定目地カバー１４は図７に示すように、アングル材を用いた支持バー２０と、この支持バー２０に後端部が溶接等によって所定間隔で固定された多数個のバー部材２１と、この多数個のバー部材２１の先端部およびほぼ中央部の底面に溶接等によって固定された固定バー部材２２、２３とで構成されている。
【００１２】
前記他側固定目地カバー１５は図８に示すように、アングル材を用いて段差部１２を形成した支持バー２４と、この支持バー２４に後端部が溶接等によって所定間隔で固定された多数個のバー部材２５と、この多数個のバー部材２５の先端部およびほぼ中央部の底面に溶接等によって固定された固定バー部材２６、２７とで構成されている。
【００１３】
上記構成の角部用床目地装置１は、通常時は角部の目地部３を一側可動目地カバー９と一側固定目地カバー１４および他側可動目地カバー１３と他側固定目地カバー１５とで平坦状態で覆っている。
【００１４】
左右の目地部３、３が広くなったり、狭くなったりするような揺れ動きが生じた場合には、図９ないし図１２に示すように、一側可動目地カバー９と一側固定目地カバー１４とが伸縮したり、一側可動目地カバー９がスライド移動するとともに、他側可動目地カバー１３がスライド移動したり、他側可動目地カバー１３と他側固定目地カバー１５とが伸縮して角部に隙間が生じたりすることなく、覆った状態を保つことができる。
【００１５】
【発明の異なる実施の形態】
次に、図１３ないし図２４に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１３ないし図１５に示す本発明の第２の実施の形態において、前記本発明の第１の実施の形態と主に異なる点は、建物２の一側外壁面２ａと他側外壁面２ａとを鈍角部位の角部に取付けた点で、このような部位に取付けた角部用床目地装置１Ａにしても、前記本発明の第１の実施の形態と同様な作用効果が得られる。
【００１７】
図１６ないし図１８に示す本発明の第３の実施の形態において、前記本発明の第１の実施の形態と主に異なる点は、建物２の一側外壁面２ａと隣り合う他側外壁面２ａに先端部が目地プレート支持凹部５のほぼ中央部に位置する他側固定目地カバー１５Ａを固定するとともに、この他側固定目地カバー１５Ａの先端部が支持される目地プレート支持凹部５の他側部に先端部と後端部の底面に複数個のローラーが取付けられたスライド移動可能な他側可動目地カバー１３Ａを取付けた点で、このように形成された他側固定目地カバー１５Ａと他側可動目地カバー１３Ａを用いて構成した角部用床目地装置１Ｂにしても、前記本発明の第１の実施の形態と同様な作用効果が得られるとともに、一側可動目地カバー９と一側固定目地カバー１４との干渉を阻止する段差部を設けない他側固定目地カバー１５Ａと他側可動目地カバー１３Ａを用いることができる。
【００１８】
図１９ないし図２１に示す本発明の第４の実施の形態において、前記本発明の第１の実施の形態と主に異なる点は、板状の一側可動目地カバー９Ａ、他側可動目地カバー１３Ｂと、この一側可動目地カバー９Ａと他側可動目地カバー１３Ｂの目地プレート支持凹部５の一側および他側を覆う板状の一側固定目地カバー１４Ａと他側固定目地カバー１５Ｂと、前記一側可動目地カバー９Ａと他側可動目地カバー１３Ｂとをスライド方向と直角方向にスライド可能に係止させる係止片２８、２８とガイド片２９、２９とを用いた点で、このように構成した角部用床目地装置１Ｃにしても、前記本発明の第１の実施の形態と同様な作用効果が得られる。
【００１９】
図２２ないし図２４に示す本発明の第５の実施の形態において、前記本発明の第１の実施の形態と主に異なる点は、建物２の外壁面２ａと一体形成された一方の床躯体２Ａの一側の目地部側端部と他側の目地部側端部とに一側可動目地カバー９と他側可動目地カバー１３とを取付けた点で、このように構成した角部用床目地装置１Ｄにしても、前記本発明の第１の実施の形態と同様な作用効果が得られる。
【００２０】
【発明の効果】
以上の説明から明らかなように、本発明にあっては次に列挙する効果が得られる。
【００２１】
（１）建物の外壁面と目地部を介して設けられたよう壁等の床躯体の目地部側の上面に該目地部に開口するように形成された目地プレート支持凹部と、前記建物の一側外壁面にスライド移動可能に取付けられた、角部の目地部を覆う先端部が前記目地プレート支持凹部のほぼ中央部に位置する一側可動目地カバーと、前記建物の一側外壁面と隣り合う他側外壁面にスライド移動可能に取付けられた角部の目地部を覆う前記一側可動目地カバーの位置する部位に段差を設けて干渉するのを阻止する先端部が前記目地プレート支持凹部のほぼ中央部に位置する他側可動目地カバーと、前記一側可動目地カバーの先端部が支持される、前記目地プレート支持凹部の一側部を該一側可動目地カバーのスライド移動を可能に覆う一側固定目地カバーと、前記他側可動目地カバーの先端部が支持される前記目地プレート支持凹部の他側部を、該他側可動目地カバーのスライド移動を可能に覆う他側固定目地カバーとで構成されているので、角部に段差が生じることなく、目地部が広くなったり、狭くなっても、その揺れ動きを吸収することができるように覆うことができる。
したがって、従来のように見苦しくなることなく、きれいに仕上げることができる。
【００２２】
（２）前記（１）によって、構造が簡単であるので、容易に設置することができる。
【００２３】
（３）前記（１）によって、角部の目地部が広くなったり、狭くなったりする揺れ動きが生じても、一側可動目地カバー、他側可動目地カバーのスライド移動と一側固定目地カバー、他側固定目地カバー方向へのスライド移動によって、一側可動目地カバーと他側可動目地カバーとの間に隙間が生じるのを確実に防止することができる。
したがって、安全に使用することができる。
【００２４】
（４）請求項２、３、４、５も前記（１）〜（３）と同様な効果が得られる。
【図面の簡単な説明】
【図１】本発明の第１の実施の形態の設置状態の説明図。
【図２】図１の２−２線に沿う拡大断面図。
【図３】図１の３−３線に沿う拡大断面図。
【図４】図１の４−４線に沿う拡大断面図。
【図５】本発明の第１の実施の形態の一側可動目地カバーの説明図。
【図６】本発明の第１の実施の形態の他側可動目地カバーの説明図。
【図７】本発明の第１の実施の形態の一側固定目地カバーの説明図。
【図８】本発明の第１の実施の形態の他側固定目地カバーの説明図。
【図９】左右方向の目地部が狭くなった動作説明図。
【図１０】左右方向の目地部が広くなった動作説明図。
【図１１】前後方向の目地部が狭くなった動作説明図。
【図１２】前後方向の目地部が広くなった動作説明図。
【図１３】本発明の第２の実施の形態の設置状態の説明図。
【図１４】図１３の１４−１４線に沿う拡大断面図。
【図１５】図１３の１５−１５線に沿う拡大断面図。
【図１６】本発明の第３の実施の形態の設置状態の説明図。
【図１７】図１６の１７−１７線に沿う拡大断面図。
【図１８】図１６の１８−１８線に沿う拡大断面図。
【図１９】本発明の第４の実施の形態の設置状態の説明図。
【図２０】図１９の２０−２０線に沿う拡大断面図。
【図２１】図１９の２１−２１線に沿う拡大断面図。
【図２２】本発明の第５の実施の形態の設置状態の説明図。
【図２３】図２２の２３−２３線に沿う拡大断面図。
【図２４】図２２の２４−２４線に沿う拡大断面図。
【符号の説明】
１、１Ａ、１Ｂ、１Ｃ、１Ｄ：角部用床目地装置、
２：建物、              ２ａ：外壁、
２Ａ：一方の床躯体、    ３：目地部、
４：よう壁等の床躯体、  ５：目地プレート支持凹部、
６：支持板、            ７：ガイドレール、
８：ローラー、
９、９Ａ：一側可動目地カバー、
１０：ガイドレール、    １１：ローラー、
１２：段差、
１３、１３Ａ、１３Ｂ：他側可動目地カバー、
１４、１４Ａ：一側固定目地カバー、
１５、１５Ａ、１５Ｂ：他側固定目地カバー、
１６：支持バー、        １７：バー部材、
１８：支持バー、        １９：バー部材、
２０：支持バー、        ２１：バー部材、
２２、２３：固定バー部材、
２４：支持バー、        ２５：バー部材、
２６、２７：固定バー部材、
２８：係止片、          ２９：ガイド片。
【図１】
0003676706.tif 000002
【図２】
0003676706.tif 000003
【図３】
0003676706.tif 000004
【図４】
0003676706.tif 000005
【図５】
0003676706.tif 000006
【図６】
0003676706.tif 000007
【図７】
0003676706.tif 000008
【図８】
0003676706.tif 000009
【図９】
0003676706.tif 000010
【図１０】
0003676706.tif 000011
【図１１】
0003676706.tif 000012
【図１２】
0003676706.tif 000013
【図１３】
0003676706.tif 000014
【図１４】
0003676706.tif 000015
【図１５】
0003676706.tif 000016
【図１６】
0003676706.tif 000017
【図１７】
0003676706.tif 000018
【図１８】
0003676706.tif 000019
【図１９】
0003676706.tif 000020
【図２０】
0003676706.tif 000021
【図２１】
0003676706.tif 000022
【図２２】
0003676706.tif 000023
【図２３】
0003676706.tif 000024
【図２４】
0003676706.tif 000025